(57)【要約】【課題】機器に搭載した際にヒンジを配置するスペースを少なくすることができ、機器の小型化に貢献できる電子機器を提供する。【解決手段】端子カバー２を閉蓋状態から開蓋状態へ移行させる際に突起部２２が当接する傾斜部５ｄを形成したことにより、開蓋状態への移行時にヒンジ２１を弾性変形させることができ、その弾性変形の復帰力によってカバー部２５を開蓋方向へ押し出すことができる。したがって、端子カバー２を開く際のヒンジ２１のストロークが短くても、係止部２４と被係止部３ａとの係合を外すことができるので、ヒンジ２１の機器本体１における配置スペースを少なくすることができ、機器本体１を小型化することができる。【選択図】図６Ｂ
2009025660.tif 000002
【特許請求の範囲】
【請求項１】
被隠蔽部を覆うことができる大きさを有するカバー部と、前記カバー部から法線方向に延出しかつ弾性変形可能なヒンジとを備えた蓋体と、
前記ヒンジを前記法線方向に移動可能に保持する保持部と、
前記被隠蔽部を隠蔽している状態から前記被隠蔽部を開放する状態へ前記蓋体を移行させる際に、前記ヒンジの端部が当接可能な位置に形成されている傾斜部とを備え、
前記蓋体は、
前記被隠蔽部から離間する方向へ引き出されることで、前記ヒンジの端部が前記傾斜部に当接して前記ヒンジが弾性変形し、前記ヒンジの弾性力によって前記被隠蔽部から離間する方向へ付勢される、電子機器。
【請求項２】
前記蓋体が前記被隠蔽部を隠蔽している状態において前記係止部が係合される被係止部を、さらに備え、
前記蓋体は、一方の端部に前記ヒンジを備え、他方の端部に係止部を備え、
前記蓋体が前記被隠蔽部から離間する法線方向へ引き出されることで、前記ヒンジの端部が前記傾斜部に当接して前記ヒンジが弾性変形し、前記カバー部が前記被隠蔽部から離間する方向へ付勢され、前記係止部と前記被係止部との係合が外れるように構成されている、請求項１記載の電子機器。
【発明の詳細な説明】
【技術分野】
【０００１】
本発明は、被隠蔽部を隠蔽可能な蓋を開閉自在に保持する電子機器に関する。
【背景技術】
【０００２】
ビデオカメラ、デジタルカメラ、携帯電話端末などは、他の機器と信号やデータの授受を行うために、通信ケーブルを接続可能な端子を備えている。このような端子は、埃や水分などの異物が付着するとデータや信号の通信が行えなくなる可能性があるため、端子を隠蔽可能な端子カバーを備えていることが多い。特許文献１には、デジタルカメラに搭載されている端子カバーの構成が開示されている。
【特許文献１】特開２００６−２０１２５１号公報
【発明の開示】
【発明が解決しようとする課題】
【０００３】
しかしながら特許文献１に開示されている構成では、端子カバーを開く際に端子カバーに形成されているフックと機器側に形成されている窪みとの係合を外すために、ヒンジのストロークを十分に長く設定する必要がある。ヒンジを長くすると、機器におけるヒンジを配置するスペースを多く確保する必要があり、機器が大型化してしまうという問題がある。
【０００４】
本発明の目的は、機器に搭載した際にヒンジを配置するスペースを少なくすることができ、機器の小型化に貢献できる電子機器を提供することである。
【課題を解決するための手段】
【０００５】
本発明は、被隠蔽部を覆うことができる大きさを有するカバー部と、前記カバー部から法線方向に延出しかつ弾性変形可能なヒンジとを備えた蓋体と、前記ヒンジを前記法線方向に移動可能に保持する保持部と、前記被隠蔽部を隠蔽している状態から前記被隠蔽部を開放する状態へ前記蓋体を移行させる際に、前記ヒンジの端部が当接可能な位置に形成されている傾斜部とを備え、前記蓋体は、前記被隠蔽部から離間する方向へ引き出されることで、前記ヒンジの端部が前記傾斜部に当接して前記ヒンジが弾性変形し、前記ヒンジの弾性力によって前記被隠蔽部から離間する方向へ付勢されるものである。
【発明の効果】
【０００６】
本発明の電子機器は、機器に搭載した際にヒンジを配置するスペースを少なくすることができ、機器の小型化に貢献できる。
【発明を実施するための最良の形態】
【０００７】
本発明は、被隠蔽部を覆うことができる大きさを有するカバー部と、前記カバー部から法線方向に延出しかつ弾性変形可能なヒンジとを備えた蓋体と、前記ヒンジを前記法線方向に移動可能に保持する保持部と、前記被隠蔽部を隠蔽している状態から前記被隠蔽部を開放する状態へ前記蓋体を移行させる際に、前記ヒンジの端部が当接可能な位置に形成されている傾斜部とを備え、前記蓋体は、前記被隠蔽部から離間する方向へ引き出されることで、前記ヒンジの端部が前記傾斜部に当接して前記ヒンジが弾性変形し、前記ヒンジの弾性力によって前記被隠蔽部から離間する方向へ付勢されるものである。
【０００８】
このような構成によれば、蓋体を隠蔽状態から開放状態へ移行させる際に、ヒンジが傾斜部に当接して弾性変形され、ヒンジの弾性力によって蓋体が非隠蔽部から離間する方向へ付勢されるため、蓋体の引き出し量が少なくても大きな開口量を確保することができる。したがって、ヒンジの長さを短くすることができ、機器におけるヒンジの搭載スペースを削減することができる。
【０００９】
本発明の電子機器は、上記構成を基本として、以下のような態様をとることができる。
【００１０】
すなわち、前記蓋体が前記被隠蔽部を隠蔽している状態において前記係止部が係合される被係止部をさらに備え、前記蓋体は、一方の端部に前記ヒンジを備え、他方の端部に係止部を備え、前記蓋体が前記被隠蔽部から離間する法線方向へ引き出されることで、前記ヒンジの端部が前記傾斜部に当接して前記ヒンジが弾性変形し、前記カバー部が前記被隠蔽部から離間する方向へ付勢され、前記係止部と前記被係止部との係合が外れるように構成されている構成とすることができる。このような構成により、蓋体を僅かに引き出すだけで係止部と被係止部との係合を外すことができ、蓋体を開く際の操作性を向上させることができる。
【００１１】
（実施の形態）
図１及び図２は、実施の形態における電子機器の外観を示す。本実施の形態では、電子機器の一例としてビデオカメラを示しているが、少なくとも被隠蔽部を備えた機器であれば他の機器で構成されていてもよく、被隠蔽部の例としてはデジタルカメラや携帯電話端末に搭載されている端子などがある。図１は端子カバーの閉蓋状態を示す。図２は端子カバーの開蓋状態を示し、説明の便宜上、端子カバーで隠蔽される部分が目視可能なように端子カバーの図示を省いている。図３は、電子機器の構成部品の一部である端子カバー２、筐体３、ホルダー５の分解斜視図である。図４は、ホルダー５の斜視図であり、機器内面側から見た図である。図５は、端子カバー２の斜視図である。
【００１２】
機器本体１は、端子カバー２、筐体３、端子部４（被隠蔽部）、ホルダー５を備えている。本実施の形態の機器本体１は、ビデオカメラで構成されているため、筐体３の内部にはレンズやＣＣＤイメージセンサーなどから構成される撮像手段や、撮影した画像をメモリーカードなどの記録媒体に記録する記録手段などが内蔵されている。また、機器本体１は、アナログ式の映像入力端子及び音声入力端子を備えたテレビジョン受像機に接続可能なＡＶケーブルを接続可能なＡＶ端子４１、Ｄ端子を備えたテレビジョン受像機などに接続されるケーブルを接続可能なＤ端子４２、撮影した画像の画像データをパーソナルコンピューターやプリンターなどに伝送可能なデジタル端子４３などを備えている。このような端子は、埃や水分などの異物が付着すると、データや信号の伝送ができなくなる可能性があるため、端子にケーブルを接続しない時は端子を端子カバー２で隠蔽する必要がある。なお、本実施の形態における機器本体１に搭載されている端子は一例である。
【００１３】
端子カバー２（蓋体）は、ヒンジ２１、突起部２２、凹部２３、係止部２４、カバー部２５を備えている。端子カバー２は、例えばエラストマーなどの弾性変形可能な材料で一体成型されているが、必ずしも一体成型されている必要はなく、また複数の材料を組み合わせて形成してもよい。また、端子カバー２は、ヒンジ２１が端子部４の近傍に支持されている。ヒンジ２１は、略平板状のカバー部２５の内面（端子部４に対向する面）において法線方向に延出して形成され、弾性変形可能である。突起部２２は、ヒンジ２１の先端において、ヒンジ２１の主面から法線方向に突出して形成されている。また、突起部２２は、後述するが端子カバー２が筐体３から離脱するのを防ぐためのものであるとともに、ヒンジ２１を弾性変形させるためのものである。凹部２３は、カバー部２５の下端縁部に形成され、端子カバー２を開く際に指を引っ掛けることができる部分である。係止部２４は、カバー部２５の上端縁部に突出して形成され、端子カバー２を閉じた際に被係止部３ａに係合することで端子カバー２の閉蓋状態を保持することができる。また、係止部２４は、端子カバー２が閉蓋状態の時に被係止部３ａの内面に当接して端子カバー２が開くのを規制する規制面２４ａと、端子カバー２が開蓋状態から閉蓋状態へ移行する際に被係止部３ａの近傍に当接して端子カバー２を案内する傾斜面２４ｂが形成されている。カバー部２５は、略平板状に形成され、端子カバー２を閉蓋状態にした時に端子部４を隠蔽する部分である。
【００１４】
筐体３は、機器本体１の外郭を覆うものであり、各種端子を外部に露出させるために開口部が形成されている。また、筐体３における端子部４の近傍には、端子カバー２が閉蓋状態の時に係止部２４が係合可能な被係止部３ａが形成されている。
【００１５】
端子部４は、ＡＶ端子４１、Ｄ端子４２、およびデジタル端子４３を露出可能な開口部４ａ〜４ｃが形成されている。また、端子部４の下端近傍に、端子カバー２のヒンジ２１が挿通可能な開口部４ｄ（保持部）が形成されている。ここで、図６Ａ（図６Ａは端子カバー２が閉蓋状態における開口部４ｄ近傍の縦断面図）に示すように、ヒンジ２１の厚さ寸法ｄ１と、突起部２２を含むヒンジ２１の先端の厚さ寸法ｄ２と、開口部４ｄの内側上面と開口部５ｂの内側底面とで形成される開口部の高さ寸法ｄ３との関係は、ｄ１＜ｄ３＜ｄ２となっている。したがって、端子カバー２が機器本体１に保持されている状態（突起部２２が機器本体１内に位置し、ヒンジ２１が開口部４ｄ内に位置している状態）では、ヒンジ２１は開口部４ｄ内を移動可能であるが、ヒンジ２１の先端には突起部２２が形成されているために機器本体１から離脱せず、端子カバー２を機器本体１に保持することができる。
【００１６】
ホルダー５は、各種端子類などを保持する部材であり、各種端子類などを保持した状態で筐体３の内面に装着される。本実施の形態では、少なくともＡＶ端子４１、Ｄ端子４２、デジタル端子４３を保持可能な開口部５ａ〜５ｃが形成されている。また、ホルダー５は、開口部５ｂの内周縁部（本実施の形態では下端）に傾斜部５ｄが形成されている。傾斜部５ｄは、図６Ａなどに示すように機器本体１の奥側から開口部５ｂに向かって徐々に高くなるように形成されている。また、傾斜部５ｄの近傍には、図示のように傾斜部５ｄにつながるように水平部５ｅを形成することが望ましい。水平部５ｅは、端子カバー２が開蓋状態になった時に突起部２２が乗り上げることで、突起部２２が閉蓋方向へ戻るのを防ぐことができ、端子カバー２の開蓋状態を保持することができる。また、傾斜部５ｄは、図６Ａに示すように端子カバー２が閉蓋状態の時は突起部２２が当接せず（あるいは当接していたとしてもヒンジ２１を弾性変形させていない）、図６Ｂに示すように端子カバー２が所定角度開いた時に突起部２２が当接可能な位置及び角度に形成されている。
【００１７】
以下、動作について説明する。
【００１８】
端子カバー２は、図６Ａに示す閉蓋状態の時、係止部２４が被係止部３ａに係合していることで、矢印Ａに示す方向への移動（開蓋）が規制されている。この時、端子カバー２は、少なくとも端子部４に配されているＡＶ端子４１とＤ端子４２とデジタル端子４３とを隠蔽可能な状態になっている。
【００１９】
図６Ａに示す状態から端子カバー２を開く場合は、凹部２３に指を引っ掛けて、端子カバー２を矢印Ａに示す方向へ移動させる。端子カバー２を移動させると、ヒンジ２１が開口部４ｄ内を移動し、図６Ｂに示すように突起部２２の先端が傾斜部５ｄに当接する。さらに端子カバー２を移動させると、突起部２２は傾斜部５ｄ上を摺動して水平部５ｅに乗り上げ、突起部２２が傾斜部５ｄに案内されて矢印Ｃ方向へ変位し、ヒンジ２１が撓む。撓んだヒンジ２１には元の形状に戻ろうとする力が働くため、ヒンジ２１のカバー部２５側の端部に矢印Ｂに示す方向の力が働き、端子カバー２のカバー部２５側が矢印Ｂに示す方向へ変位する。
【００２０】
これにより、図６Ｃに示すように、係止部２４と被係止部３ａとの係合が外れる。また、カバー部２５は、ヒンジ２１が元の形状に復帰することで、端子部４を開放した状態になる。この時、カバー部２５の上部と筐体３との間には十分な隙間が生じるため、ユーザーはカバー部２１の上部を支持して矢印Ｄに示す方向へ回動させることで、端子部４を完全に露出させることができ、端子部４における各種端子に各種ケーブルを着脱することができる。
【００２１】
なお、図６Ｃに示す状態では、前述したように開口部４ｄ及び開口部５ｂで形成される開口部の高さ寸法ｄ３と、突起部２２の高さ寸法ｄ２との関係をｄ３＜ｄ２としていることにより、突起部２２は開口部４ｄ内を移動することができず、端子カバー２が機器本体１から離脱するのを防いでいる。
【００２２】
次に、図６Ｃに示すように開蓋状態にある端子カバー２を閉じる場合は、図６Ｃに示す状態においてカバー部２５を矢印Ｅに示す方向へ押圧して、端子カバー２を矢印Ｅに示す方向へ移動させる。すると、ヒンジ２１が開口部４ｄ内を矢印Ｅに示す方向へ移動し、カバー部２５はヒンジ２１の移動に案内されて端子部４を隠蔽可能な位置へ向かって移動する。この時、係止部２４の閉蓋方向の端面に傾斜面２４ｂが形成されていることにより、端子カバー２を開蓋状態から閉蓋状態へ移行させる際に、傾斜面２４ｂが筐体３の下面３ｂに当接及び摺動し、係止部２４が被係止部３ａまで移動するのを案内することができる。したがって、端子カバー２を容易に閉蓋状態へ移行させることができる。
【００２３】
図６Ａに示すように、カバー部２５が端子部４を隠蔽可能な位置まで移動すると、係止部２４が被係止部３ａに係合し、端子カバー２が閉蓋状態で位置決めされる。この時、係止部２４における規制面２４ａが被係止部３ａの内面に当接することにより、端子カバー２が矢印Ａに示す方向へ移動するのを規制することができ、端子部４を露出させないように位置決めすることができる。
【００２４】
また、図６Ａに示す閉蓋状態では、端子カバー２の矢印Ｙ方向の位置決めは、規制面２４ａと被係止部３ａの内面との当接によって行われる。また、端子カバー２の矢印Ｘ方向及びＺ方向の位置決めは、ヒンジ２１と開口部４ｄ及び開口部５ｂで形成される開口部とによって行われる。したがって、端子カバー２の閉蓋状態を維持することができる。
【００２５】
以上のように本実施の形態によれば、端子カバー２を閉蓋状態から開蓋状態へ移行させる際に突起部２２が当接する傾斜部５ｄを形成したことにより、開蓋状態への移行時にヒンジ２１を弾性変形させることができ、その弾性変形の復帰力によってカバー部２５を開蓋方向へ押し出すことができる。したがって、端子カバー２を開く際のヒンジ２１のストロークが短くても、係止部２４と被係止部３ａとの係合を外すことができるので、ヒンジ２１の機器本体１における配置スペースを少なくすることができ、機器本体１を小型化することができる。
【００２６】
また、ヒンジ２１を短くすることにより、端子カバー２を形成する際の材料コストを削減することができ、コストダウンすることができる。
【００２７】
また、本実施の形態では、既存のホルダー５に傾斜部５ｄを形成するのみで実現できるため、大幅なコストアップを伴うことなく実現することができる。
【００２８】
また、別部材の開閉機構を設ける必要がないため、部品点数を削減することができるとともに、機器本体１の軽量化を実現することができる。
【００２９】
また、ユーザーにおいては、端子カバー２の閉蓋状態においてカバー部２５を僅かに引き出すことで、係止部２４と被係止部３ａとの係合を外すことができ、端子カバー２を開く際の操作性を向上させることができる。また、１回の引き出し操作で大きな開口量を得ることができ、端子カバー２を開く際の操作性を向上させることができる。
【００３０】
なお、本実施の形態では、傾斜部５ｄは開口部５ｂの下部に形成したが、少なくともヒンジ２１を配置可能な位置であれば他の部位に形成してもよい。例えば、傾斜部５ｄを開口部４ｂの上部に形成し、開口部４ｄを端子部４の上部に形成しても同様の効果が得られる。
【００３１】
また、本実施の形態では、ヒンジ２１は、端子カバー２に１カ所のみ形成したが、複数箇所に形成しても同様の効果が得られる。
【００３２】
また、本実施の形態では、端子カバー２は、ＡＶ端子４１などの端子を隠蔽する構成としたが、隠蔽するものは端子に限らない。例えば、ビデオカメラや携帯電話端末においては、メモリカードスロットを隠蔽するカバーに適用することもできる。
【産業上の利用可能性】
【００３３】
本発明は、被隠蔽部を隠蔽可能な電子機器に関する。
【図面の簡単な説明】
【００３４】
【図１】実施の形態における機器本体の側面図
【図２】実施の形態における機器本体の側面図
【図３】電子機器の分解斜視図
【図４】ホルダーの斜視図
【図５】端子カバーの斜視図
【図６Ａ】端子カバーの開閉動作を説明するための断面図
【図６Ｂ】端子カバーの開閉動作を説明するための断面図
【図６Ｃ】端子カバーの開閉動作を説明するための断面図
【符号の説明】
【００３５】
１  機器本体
２  端子カバー
２１  ヒンジ
２２  突起部
２３  凹部
２４  係止部
２５  カバー部
３  筐体
３ａ  被係止部
３ｂ  下面
４  端子部
４ａ，４ｂ，４ｃ，４ｄ  開口部
４１  ＡＶ端子
４２  Ｄ端子
４３  デジタル端子
５  ホルダー
５ａ，５ｂ，５ｃ  開口部
５ｄ  傾斜部
【図１】
2009025660.tif 000003
【図２】
2009025660.tif 000004
【図３】
2009025660.tif 000005
【図４】
2009025660.tif 000006
【図５】
2009025660.tif 000007
【図６Ａ】
2009025660.tif 000008
【図６Ｂ】
2009025660.tif 000009
【図６Ｃ】
2009025660.tif 000010